(57)【要約】  一部分が動く背景画像やスクリーンセーバー画像を示す映像信号が入力されている場合には、消費電力の低減化が図れないという問題を解決する表示装置を提供する。  光源からの光を用いて、入力映像信号が示す映像を表示する表示装置であって、所定の対象画像を示す対象画像データを保存するメモリ部と、前記対象画像データおよび前記入力映像信号に基づいて、前記映像内に前記対象画像が含まれているか否かを判定する比較部と、前記比較部の判定結果に応じて、前記光源の点灯状態を変化させる制御部と、を有する。
2011148473.tif 000002
【特許請求の範囲】
【請求項１】
光源からの光を用いて、入力映像信号が示す映像を表示する表示装置であって、
所定の対象画像を示す対象画像データを保存するメモリ部と、
前記対象画像データおよび前記入力映像信号に基づいて、前記映像内に前記対象画像が含まれているか否かを判定する比較部と、
前記比較部の判定結果に応じて、前記光源の点灯状態を変化させる制御部と、を有する表示装置。
【請求項２】
請求項１に記載の表示装置において、
前記制御部は、前記対象画像が含まれていないと判定されると、第一の明るさで前記光源を点灯させ、前記対象画像が含まれていると判定されると、前記第一の明るさよりも暗い第二の明るさで前記光源を点灯させる、表示装置。
【請求項３】
請求項１または２に記載の表示装置において、
前記制御部は、前記光源を消灯させているときに、前記対象画像が含まれていないと判定されると、前記光源を点灯させる、表示装置。
【請求項４】
請求項１ないし３のいずれか１項に記載の表示装置において、
前記入力映像信号が示す映像のうち、ユーザにて指定された領域に含まれる画像を示す画像データを、当該入力映像信号から前記対象画像データとして抽出し、当該対象画像データを前記メモリ部に保存する、表示装置。
【請求項５】
請求項１ないし４のいずれか１項に記載の表示装置において、
前記光源を冷却するためのファンをさらに有し、
前記制御部は、前記比較部の判定結果に応じて、前記ファンの回転状態を変化させる、表示装置。
【請求項６】
光源からの光を用いて、入力映像信号が示す映像を表示する表示装置の消費電力軽減方法であって、
所定の対象画像を示す対象画像データを保存し、
前記対象画像データおよび前記入力映像信号に基づいて、前記映像内に前記対象画像が含まれているか否かを判定し、当該判定結果に応じて、前記光源の点灯状態を変化させる、消費電力軽減方法。
【発明の詳細な説明】
【技術分野】
【０００１】
本発明は、映像を表示する表示装置およびその消費電力軽減方法に関する。
【背景技術】
【０００２】
従来、プロジェクタのような入力映像信号に応じた映像を表示する表示装置では、映像信号が入力されていないときでも、光源が映像信号の入力時と同じ明るさで点灯されており、不必要な電力が消費されていた。これに対して、特許文献１に記載のプロジェクタでは、映像信号の入力が停止されると、光源の明るさを下げて、消費電力の低減化を図っている。【０００３】
また、表示装置に対して映像信号を出力する映像信号出力装置としては、ＤＶＤ（Digital  Versatile  Disc）などの記録媒体に保存された映像信号を再生する映像再生装置や、プレゼンテーション用の画像を生成する情報処理装置などが使用されることが多い。【０００４】
上記の映像信号出力装置には、映像信号の再生が終了すると、所定の背景画像を示す映像信号を出力するものや、一定期間操作が行われないとスクリーンセーバーを起動するものなどがある。この場合、表示装置は背景画像やスクリーンセーバー画像を表示することになるが、これらの画像はユーザに視認されることが少ないので、表示装置の消費電力の低減化を図るために、光源の明るさを下げても特に問題はない。しかしながら、映像信号の入力が停止されていないので、特許文献１に記載のプロジェクタでは、光源の明るさを下げて消費電力の低減化を図ることができない。【０００５】
これに対して、特許文献２には、同じ静止画像を示す静止画像信号が映像信号として所定時間以上入力されると、光源の明るさを下げる技術が記載されている。この技術を用いると、背景画像やスクリーンセーバー画像が静止画像であれば、光源の明るさを下げることが可能になり、消費電力の低減化を図ることが可能になる。
【先行技術文献】
【特許文献】
【０００６】
【特許文献１】特開２００２−１８２３０４号公報
【特許文献２】特開２００２−２２８８４６号公報
【発明の概要】
【発明が解決しようとする課題】
【０００７】
背景画像やスクリーンセーバー画像には、ロゴタイプなどの一部の画像が動くものがある。このような画像は静止画像ではないので、特許文献２に記載の技術を用いても、消費電力の低減化を図ることができない。【０００８】
本発明の目的は、上記の課題である、一部分が動く背景画像やスクリーンセーバー画像を示す映像信号が入力されている場合には、消費電力の低減化が図れないという問題を解決する表示装置およびその消費電力軽減方法を提供することである。
【課題を解決するための手段】
【０００９】
本発明による表示装置は、光源からの光を用いて、入力映像信号が示す映像を表示する表示装置であって、所定の対象画像を示す対象画像データを保存するメモリ部と、前記対象画像データおよび前記入力映像信号に基づいて、前記映像内に前記対象画像が含まれているか否かを判定する比較部と、前記比較部の判定結果に応じて、前記光源の点灯状態を変化させる制御部と、を有する。【００１０】
また、本発明による消費電力軽減方法は、光源からの光を用いて、入力映像信号が示す映像を表示する表示装置の消費電力軽減方法であって、特定の対象画像を示す対象画像データを保存し、前記対象画像データおよび前記入力映像信号に基づいて、前記映像内に前記対象画像が含まれているか否かを判定し、その判定結果に応じて、前記光源の点灯状態を変化させる。
【発明の効果】
【００１１】
本発明によれば、一部分が動く背景画像やスクリーンセーバー画像を示す映像信号が入力されている場合にも、消費電力の低減化を図ることが可能になる。
【図面の簡単な説明】
【００１２】
【図１】本発明の一実施形態のプロジェクタの構成の一例を示したブロック図である。
【図２】本発明の一実施形態のプロジェクタの構成の他の例を示したブロック図である。
【図３】プロジェクタの動作の一例を説明するためのフローチャートである。
【図４】プロジェクタの動作の他の例を説明するためのフローチャートである。
【図５】対象画像の一例を示す図である。
【図６】入力映像の一例を示す図である。
【図７】プロジェクタの動作の他の例を説明するためのフローチャートである。
【図８】プロジェクタの動作の他の例を説明するためのフローチャートである。
【発明を実施するための形態】
【００１３】
以下、本発明の実施形態について図面を参照して説明する。なお、以下の説明では、同じ機能を有するものには同じ符号を付け、その説明を省略する場合がある。
【００１４】
図１は、本発明の一実施形態の表示装置であるプロジェクタの構成を示したブロック図である。図１において、プロジェクタは、入力信号処理部１と、解像度変換部２と、出力信号処理部３と、映像出力部４と、読取部５と、抽出部６と、背景画面メモリ部７と、メモリ比較部８と、電源起動処理部９とランプ動作調整部１０とファン動作調整部１１とを含む制御部と、ランプ１２と、ファン１３とを有する。
【００１５】
入力信号処理部１には、映像信号が入力される。本実施形態では、プロジェクタは、映像信号出力装置として不図示のＤＶＤプレーヤーに接続され、入力信号処理部１は、そのＤＶＤプレーヤーから映像信号としてＤＶＤ映像信号が入力されるものとする。
【００１６】
入力信号処理部１に入力されたＤＶＤ映像信号は、入力信号処理部１で信号処理が行われ映像データに変換されて出力される。その出力された映像データは、解像度変換部２にて所定の解像度に解像度変換され、その後、出力信号処理部３から映像出力部４に出力される。
【００１７】
映像出力部４は、本プロジェクタの光源であるランプ１２からの光を用いて、出力信号処理部３からの映像データが示す映像を表示する。例えば、映像出力部４は、ランプ１２からの光を映像データに応じて空間変調して不図示のスクリーンに投射することで、映像データが示す映像をスクリーン上に表示する。
【００１８】
読取部５は、例えば撮像センサなどを用いて、スクリーン上の表示映像内のユーザが指定した表示領域を読み取る。ユーザは表示映像内の特徴のある部分画像の表示領域を指定するものとする。特徴のある部分画像としては、例えば、商標登録されている企業名、ブランド名、機能の名称、シンボルマークなどが挙げられるが、特に商標登録されているものに限らず、ＤＶＤ背景画像やスクリーンセーバー画像などにおける特徴のある部分画像であればよい。
【００１９】
ユーザによる表示領域の指定方法は、特に限定されない。例えば、撮像センサの撮像領域を調整し、その撮像領域を表示領域として指定する方法や、レーザポインタや指などを用いて、表示領域の中心や外形を指定してもよい。また、プロジェクタが映像信号出力装置としてＰＣ（Personal  computer）などの情報処理装置に接続されている場合などでは、ユーザは情報処理装置に具備された矢印キー、エンターキーおよびマウスなどの入力デバイスを用いて指定してもよい。また、表示映像内の一部の画像がスクロールなどしている場合、ユーザは表示映像を一時停止してから表示領域を指定してもよい。
【００２０】
抽出部６は、入力信号処理部１が出力した映像データから、読取部５が読み取った表示領域に含まれる画像を示す画像データを抽出する。以下では、抽出された画像データは、背景画像データを称し、その背景画像データが示す画像を対象画像と証する。なお、抽出部６は、読取部５が読み取った表示領域に含まれる画像のうち、文字やシンボルマークなど図形の外形形状のみを対象画像としてもよい。
【００２１】
背景画面メモリ部７は、抽出部６で抽出された背景画像データを保存する。
【００２２】
メモリ比較部８と、背景画面メモリ部７に保存された背景画像データと、入力信号処理部１から出力された映像データとに基づいて、映像データが示す映像内に、背景画像データが示す対象画像が含まれているか否かを判定する。
【００２３】
電源起動処理部９、ランプ動作調整部１０およびファン動作調整部１１から構成される制御部は、メモリ比較部８の判定結果に応じて、ランプ１２の点灯状態を変化させるとともに、ランプ１２を冷却するためのファン１３の回転状態を変化させる。より具体的には、電源起動処理部９、ランプ動作調整部１０およびファン動作調整部１１のそれぞれが以下の処理を行う。
【００２４】
電源起動処理部９は、投射電源起動信号が入力されると、出力信号処理部３、ランプ動作調整部１０およびファン動作調整部１１への電力供給を開始する。以下では、電源起動処理部９から出力信号処理部３、ランプ動作調整部１０およびファン動作調整部１１に電力が供給されているものとする。
【００２５】
ランプ動作調整部１０は、電源起動処理部９から供給される電力を用いてランプ１２を点灯させる。また、ランプ動作調整部１０は、メモリ比較部８の判定結果に応じて、ランプ１２の点灯状態を変化させる。より具体的には、ランプ動作調整部１０は、映像データが示す入力映像内に対象画像が含まれていない場合、第１の明るさでランプ１２を点灯させ、その入力映像内に対象画像が含まれている場合、第１の明るさより暗い第２の明るさでランプ１２を点灯させる。
【００２６】
ファン動作調整部１１は、電源起動処理部９から供給される電力を用いてファン１３を点灯させる。ファン動作調整部１１は、メモリ比較部８の判定結果に応じて、ファン１３の回転状態を変化させる。より具体的には、ファン動作調整部１１は、映像データが示す入力映像内に対象画像が含まれていない場合、第１の回転速度でファン１３を回転させ、入力映像内に対象画像が含まれている場合、第１の回転速度より小さい第２の回転速度でファン１３を回転させる。
【００２７】
図２は、本実施形態のプロジェクタの別の構成例を示す図である。図２において、プロジェクタは、図１と同じ構成を有するが、図１で示したプロジェクタとは、以下の点で異なる。つまり、抽出部６は、解像度変換部２にて解像度変換された映像データから背景画像データを抽出して、その背景画像データを背景画面メモリ部７に保存する。そして、メモリ比較部８は、その背景画像データと、解像度変換部２にて解像度変換された映像データとに基づいて、表示映像内の対象画像が含まれるか否かを判定する。
【００２８】
次に本実施形態のプロジェクタの動作を説明する。
【００２９】
図３および図４は、本実施形態のプロジェクタの動作を説明するためのフローチャートである。より具体的には、図３は、図１に示した解像度変換前の映像データから抽出された背景画像データを保存するプロジェクタの動作を説明するためのフローチャートであり、図４は、図２に示した解像度変換後の映像データから抽出された背景画像データを保存するプロジェクタの動作を説明するためのフローチャートである。
【００３０】
初めに、図３を参照して、図１に示したプロジェクタの動作を説明する。
【００３１】
ＤＶＤ映像信号が入力信号処理部１に入力される（ステップＳ１０１）と、入力信号処理部１は、ＤＶＤ映像信号を映像データに変換して、解像度変換部２およびメモリ比較部８に出力する（ステップＳ１０２）。
【００３２】
メモリ比較部８は、映像データを受け付けると、その映像データと背景画面メモリ部７に保存されている背景画像データとに基づいて、映像データが示す入力映像に、背景画像データが示す対象画像が含まれているか否かを判定する（ステップＳ１０３）。
【００３３】
入力映像に対象画像が含まれていない場合、メモリ比較部８は、ＤＶＤの映像信号が再生されていると判定して、通常状態を示す制御信号をランプ動作調整部１０およびファン動作調整部１１に出力する。ランプ動作調整部１０は、その制御信号を受け付けると、第一の明るさでランプを点灯させ、ファン動作調整部１１は、その制御信号を受け付けると、第一の回転速度でファン１３を回転させる（ステップＳ１０４）。その後、メモリ比較部８は、ステップＳ１０３に戻る。
【００３４】
一方、入力映像に対象画像が含まれている場合、メモリ比較部８は、ＤＶＤの映像信号が再生さてれていないと判定して、エコ状態を示す制御信号をランプ動作調整部１０およびファン動作調整部１１に出力する。ランプ動作調整部１０は、その制御信号を受け付けると、第二の明るさでランプを点灯させ、ファン動作調整部１１は、その制御信号を受け付けると、第二の回転速度でファン１３を回転させる（ステップＳ１０５）。その後、メモリ比較部８は、ステップＳ１０３に戻る。
【００３５】
続いて、図４を参照して、図２に示すプロジェクタの動作を説明する。
【００３６】
ＤＶＤ映像信号が入力信号処理部１に入力される（ステップＳ１０１）と、入力信号処理部１は、ＤＶＤ映像信号を映像データに変換して、解像度変換部２に出力する（ステップＳ１０２’）。
【００３７】
解像度変換部２は、映像データを受け付けると、その映像データを所定の解像度に変換して、出力信号処理部３およびメモリ比較部８に出力する（ステップＳ１０６）。その後、メモリ比較部８は、映像データを受け付けると、ステップＳ１０３〜Ｓ１０５の処理を行う。
【００３８】
次にメモリ比較部８の処理についてより詳細に説明する。以下では、対象画像は、図５に示す長方形の領域で指定された画像であるとし、入力映像は図６に示す映像であるとする。
【００３９】
先ず、背景画像データが保存されると、メモリ比較部８は、その背景画像データが示す対象画像を評価して、映像レベルの差が最も大きい互い隣り合う画素の両方を基準点として検出する。そして、メモリ比較部８は、それらの基準点の画素位置および映像レベルを記憶する。画素位置は、例えば、垂直方向のライン数と、水平方向の画素数とで表される。図５では、画素ＳＡおよびＳＢが基準点であり、画素ＳＡの画素位置は「ｊライン目、（ｋ＋１）画素」であり、画素ＳＢの画素位置は「ｊライン、（ｋ＋１）画素」である。
【００４０】
ここでは、水平方向に隣り合う画素から基準点が検出されているが、垂直方向に隣り合う画素から基準点が検出されてもよい。また、映像レベルの差が最も大きい互い隣り合う画素に加えて、それらの画素付近の画素をさらに基準点とすることで、３つ以上の画素が基準点として検出されてもよい。さらに、互いに隣り合う画素のうち、映像レベルの差が大きい順から所定数分の画素を基準点としたり、映像レベルの差が閾値以上の画素を基準点とすることで、複数個所に基準点を設けてもよい。
【００４１】
基準点の画素位置および映像レベルを記憶すると、その後、メモリ比較部８は、映像データのフレームごとに、映像データが示す入力映像と背景画像データが示す対象画像とを比較して、入力映像に対象画像が含まれるか否かを判定する。
【００４２】
本判定では、先ず、メモリ比較部８は、基準点のいずれかを選択し、その選択した基準点（以下、画素ＳＡとする）と映像レベルが一致する画素を入力映像から検索する。
【００４３】
例えば、メモリ比較部８は、入力映像の１ライン目の１画素目から順に、入力映像の各画素と画素ＳＡとの映像レベルとを比較していくことで、画素ＳＡの映像レベルと一致する画素を入力映像から検索する。なお、映像レベルが完全に一致しなくても、メモリ比較部８は、映像レベルの差が規定値（例えば±５［％］）以内であれば、映像レベルが一致していると判定してもよい。
【００４４】
ここで、映像レベルが画素ＳＡと一致する画素がないと、メモリ比較部８は、入力映像に対象画像が含まれていないと判定して、処理を終了する。
【００４５】
一方、映像レベルが画素ＳＡと一致する画素があると、メモリ比較部８は、入力映像に対象画像が含まれている可能性があると判定して、映像レベルが画素ＳＡの一致する入力映像の画素ＩＡの画素位置を記憶する。図６では、画素ＩＡの画素位置は「ｍライン、ｎ画素」であるとしている。
【００４６】
画素ＩＡの画素位置を記憶すると、メモリ比較部８は、基準点の他方の画素ＳＢの映像レベルと、入力映像のｍライン目の（ｎ＋１）画素目の画素ＩＢの映像レベルとを比較して、これらの映像レベルが互いに一致するか否かを判定する。画素ＳＡと画素ＳＢの相対的な位置関係は、画素ＩＡと画素ＩＢの相対的な位置関係と同じである。
【００４７】
上記の処理では、画素ＳＡ、ＳＢの順で映像レベルの比較を行ったが、実際には基準点のうち映像レベルの高い画素から順に映像レベルの比較を行うほうが望ましい。
【００４８】
画素ＳＢおよびＩＢの映像レベルが一致していない場合、メモリ比較部８は、映像レベルが画素ＳＡと一致する他の画素を入力映像から検索する。
【００４９】
一方、画素ＳＢおよびＩＢの映像レベルが一致している場合、メモリ比較部８は、基準点の画素位置と対象画像の領域の形状や大きさに基づいて、対象画像の各画素に対応すると考えられる入力映像の各画素を割り出す。
【００５０】
そして、メモリ比較部８は、対象画像の１ライン目の１画素目から順に、その対象画像の画素の映像レベルと、その対象画像の画素に対応する入力映像の画素の映像レベルとを比較していく。ここで、映像レベルが比較される対象画像の画素を画素ＳＸとし、映像レベルが比較される入力映像の画素をＩＸとすると、画素ＳＡと画素ＳＸとの相対的な位置関係は、画素ＩＡと画素ＩＸとの相対的な位置関係と同じである。
【００５１】
例えば、図５および図６の場合、メモリ比較部８は、先ず、対象画像の１ライン目の１画素目の映像レベルと、入力映像の（ｍ−ｊ＋１）ライン目の（ｎ−ｋ＋１）画素目の映像レベルとを比較する。その後、メモリ比較部８は、対象画像の１ライン目の２画素目、１ライン目の３画素目、…１ライン目の最終画素、２ライン目の１画素目、…の順番で、それらの画素の映像レベルと、その画素と対応する入力映像の画素の映像レベルとを比較していく。
【００５２】
メモリ比較部８は、上記の比較結果に基づいて、対象画像が入力映像に含まれるか否かを判定する。
【００５３】
例えば、メモリ比較部８は、対象画像内の全画素について映像レベルが一致した場合に、対象画像が入力映像に含まれると判定する。このとき、メモリ比較部８は、ある画素について映像レベルが一致しないと判定すると、直ぐに対象画像が入力映像に含まれていないと判定することで、判定速度を向上させることが望ましい。
【００５４】
また、メモリ比較部８は、対象画像内の全画素に対する映像レベルが一致すると判定された画素の割合が規定値（例えば、９５％）以上の場合に、対象画像が入力映像に含まれると判定してもよい。この場合、ノイズの影響や解像度変換などの理由で対象画像の輪郭が多少変化しても正しい判定を行うことができる。
【００５５】
さらに、メモリ比較部８は、対象画像内のある程度の領域について映像レベルの判定を行い、その判定結果に基づいて対象画像が入力映像に含まれているか否かを判定してもよい。
【００５６】
例えば、メモリ比較部８は、対象画像の全領域の１０［％］まで判定を行った後に、その判定された画素数に対する、映像レベルが一致しないと判定された画素数の割合である不一致割合を算出する。そして、不一致割合が規定値（例えば、５％）以上の場合、メモリ比較部８は、対象画像が入力映像に含まれていないと判定する。一方、不一致割合が規定値未満の場合、メモリ比較部８は、映像レベルの比較を続行しつつ、不一致割合を更新していく。そして、メモリ比較部８は、不一致割合が規定値以上になると、その時点で対象画像が入力映像に含まれていないと判定し、不一致割合が規定値未満のまま、対象画像の全ての画素についての判定が終了すると、対象画像が入力映像に含まれていると判定する。
【００５７】
また、対象画像がスクロールされている場合などでは、入力画像中の対象画像の一部が画面の端部などの影響で欠けることもある。この場合、メモリ比較部８は、欠けた部分に対応する画素については、映像レベルの比較を行わなくてもよいし、映像レベルが一致したと判定してもよい。
【００５８】
さらに、メモリ比較部８は、入力画像中の対象画像の一部が欠けた場合などによる誤判定を軽減するために、上記の判定を複数フレーム分行い、その複数フレーム分の判定結果に基づいて、対象画像が入力映像に含まれているか否かを判定してもよい。
【００５９】
入力映像中の対象画像の色が変化する場合もあるので、映像レベルの代わりに輝度信号の値を用いてもよい。また、映像レベルの変わりに各色信号（例えば、赤色信号Ｒ、緑色信号Ｇおよび青色信号Ｂ）の階調レベルを用いてもよい。この場合、対象画像の各色信号の階調レベルのそれぞれを、入力画像の色信号の全てと比較してもよい。
【００６０】
また、ＤＶＤ映像信号の振幅が変化する場合もあるので、メモリ比較部８は、映像レベルを比較する最初の画素について、入力映像の画素の映像レベルの、対象画像の画素の映像レベルに対するゲインを算出し、映像レベルを比較する２番目以降の画素については、入力映像の画素の映像レベルをそのゲインで補正した値と、対象画像の画素の映像レベルとを比較してもよい。
【００６１】
１画素のみでゲインを算出すると誤差が大きくなるかもしれないので、メモリ比較部８は、複数の画素についてゲインを算出し、その平均値を用いて他の画素の映像レベルを補正してもよい。この場合、メモリ比較部８は、ゲインのばらつきを標準偏差等で評価し、その評価値が規定値以上であると、対象画像が入力映像に含まれていないと判断してもよい。
【００６２】
また、ゲインを算出する画素の映像レベルが規定値以下（０付近）の場合には、誤差が大きくなる可能性があるので、その画素ではゲインの算出を行わずに別の画素の映像レベルからゲインを算出してもよい。
【００６３】
また、対象画像の拡大画像や縮小画像も考慮にいれてもよいが、対象画像として指定される文字やロゴタイプなどは、ＤＶＤ背景画像やスクリーンセーバー画像などにおいて拡大または縮小されることは少ない。さらに、プレゼンテーションやデモンストレーション用の画像などには、対象画像として指定される文字やロゴタイプが拡大または縮小されて存在する場合があるので、対象画像の拡大画像や縮小画像を考慮にいれると誤動作の原因となる可能性がある。このため、対象画像の拡大画像や縮小画像を考慮しなくてもよいし、拡大画像や縮小画像を検出するか否をユーザが設定できるようにしてもよい。
【００６４】
以上説明したように本実施形態によれば、背景画面メモリ部７は、所定の対象画像を示す対象画像データを保存する。メモリ比較部８は、対象画像データおよび入力映像信号に基づいて、入力映像信号が示す映像内に対象画像が含まれているか否かを判定する。制御部は、メモリ比較部８の判定結果に応じて、ランプ１２の点灯状態を変化させる。
【００６５】
このため、映像内に対象画像か含まれているか否かに応じてランプ１２の点灯状態が変化されるので、対象画像が動く背景画像やスクリーンセーバー画像が入力されていても、消費電力の低減化を図ることが可能になる。
【００６６】
また、本実施形態では、制御部は、メモリ比較部８の判定結果に応じて、ランプ１２を冷却するためのファン１３の回転状態を変化させる。したがって、消費電力の低減効果を高くすることが可能になる。
【００６７】
また、本実施形態では、抽出部６は、映像データから、その映像データが示す映像のうち、ユーザにて指定された領域に含まれる画像を示す画像データを前記対象画像データとして抽出し、その対象画像データを背景画面メモリ部７に保存する。
【００６８】
次に他の実施形態について説明する。
【００６９】
上述の実施形態では、主に電源起動中における処理について説明したが、本実施形態では、電源起動待機中の処理、具体的には、電源起動待機中に入力映像信号が背景画像から再生映像に切り替わると、電源を起動する処理について説明する。
【００７０】
図７および図８は、本実施形態のプロジェクタの動作を説明するためのフローチャートである。より具体的には、図７は、図１に示した背景画面メモリ部７に解像度変換前の映像データが保存されるプロジェクタの動作を説明するためのフローチャートであり、図８は、図２に示した背景画面メモリ部７に解像度変換後の映像データが保存されるプロジェクタの動作を説明するためのフローチャートである。
【００７１】
初めに、図７を参照して、図１で示したプロジェクタの動作を説明する。なお、背景画像データは電源起動中に背景画面メモリ部７に保存されているものとする。
【００７２】
電源起動待機状態に移行した後にＤＶＤ映像信号が入力信号処理部１に入力される（ステップＳ２０１）と、入力信号処理部１は、ＤＶＤ映像信号を映像データに変換して、解像度変換部２およびメモリ比較部８に出力する（ステップＳ２０２）。
【００７３】
メモリ比較部８は、映像データを受け付けると、その映像データと背景画面メモリ部７に保存されている背景画像データとに基づいて、映像データが示す入力映像に、背景画像データが示す対象画像が含まれているか否かを判定する（ステップＳ２０３）。
【００７４】
入力映像に対象画像が含まれていない場合、メモリ比較部８は、映像データが背景画面からＤＶＤ再生映像に切り替わったと判定して、投射電源起動信号を電源起動処理部９に出力する。電源起動処理部９は、投射電源起動信号を受け付けると、ランプ動作調整部１０およびファン動作調整部１１への電力供給を開始する（ステップＳ２０４）。
【００７５】
ランプ動作調整部１０は、電力が供給されると、ランプ１２を第１の明るさで点灯させる。ファン動作調整部１１は、電力が供給されると、ファン１３を第１の回転速度で回転させる（ステップＳ２０５）。
【００７６】
ステップＳ２０３において入力映像に対象画像が含まれている場合、メモリ比較部８は、映像データが背景画面であると判定して、電源起動待機状態を維持する（ステップＳ２０６）。その後、メモリ比較部８は、ステップＳ２０３に戻る。
【００７７】
続いて、図８を参照して、図２で示したプロジェクタの動作を説明する。
【００７８】
電源起動待機状態に移行した後にＤＶＤ映像信号が入力信号処理部１に入力される（ステップＳ２０１）と、入力信号処理部１は、ＤＶＤ映像信号を映像データに変換して、解像度変換部２に出力する（ステップＳ２０２’）。
【００７９】
解像度変換部２は、映像データを受け付けると、その映像データを所定の解像度に変換して、出力信号処理部３およびメモリ比較部８に出力する（ステップＳ２０７）。その後、メモリ比較部８は、映像データを受け付けると、ステップＳ２０３〜Ｓ２０６の処理を行う。
【００８０】
以上説明したように本実施形態によれば、ＤＶＤの再生開始や映像信号出力装置に対する操作に同期して、プロジェクタの電源起動処理を行うことが可能となる。したがって、プロジェクタを操作しなくてもよいので、ユーザの利便性を向上させつつ、消費電力の低減化を図ることが可能になる。
【００８１】
以上説明した各実施形態において、図示した構成は単なる一例であって、本発明はその構成に限定されるものではない。
【００８２】
例えば、電源起動中において、対象画像が入力映像に含まれないと判定された場合、ランプ動作調整部１０がランプ１２を消灯させ、ファン動作調整部１１がファン１３の回転を停止させる構成としてもよい。
【００８３】
また、映像出力装置が対象画像データを抽出し、プロジェクタがその対象画像を保存してもよい。さらに、表示装置はプロジェクタに限らず適宜変更可能である。
【符号の説明】
【００８４】
１    入力信号処理部
２    解像度変換部
３    出力信号処理部
４    映像出力部
５    読取部
６    抽出部
７    背景画面メモリ部
８    メモリ比較部
９    電源起動処理部
１０  ランプ動作調整部
１１  ファン動作調整部
１２  ランプ
１３  ファン
【図１】
2011148473.tif 000003
【図２】
2011148473.tif 000004
【図３】
2011148473.tif 000005
【図４】
2011148473.tif 000006
【図５】
2011148473.tif 000007
【図６】
2011148473.tif 000008
【図７】
2011148473.tif 000009
【図８】
2011148473.tif 000010
【国際調査報告】
2011148473.tif 000011
2011148473.tif 000012
2011148473.tif 000013
2011148473.tif 000014